(57)【要約】      （修正有）【課題】単価を低くすることができ、出品側も差損生じない共同購入における発注システムを提案する。【解決手段】購入希望と購入希望個数を関連付けて記憶するオーダーデータテーブルと、１ロットあたりの商品個数を段階的なまとまりとして、そのまとまり毎の１個あたりの販売価格を関連付けて記憶するとともに、１ロットにおける１個あたりの最安値となる限界販売価格を記憶した条件テーブルと、前記基本条件テーブルを参照してまず共同購入開始価格を購入希望者の前記端末装置に表示し、前記端末装置から１個以上の購入希望情報を受け付けると前記価格テーブルを参照して当該購入希望情報を受信した時点での全購入希望個数に対応する１個あたりの販売価格を前記端末装置に表示し、前記全購入希望個数が１ロットあたりの個数に達したときに購入希望情報の受け付けを終了し、その時点での購入希望者に対して前記限界販売価格での購入を決定するようにした。【選択図】図１
2007011789.tif 000002
【特許請求の範囲】
【請求項１】
ネットワーク上でロット単位で製造・輸送または仕入れが行われる商品について端末装置で入力された複数の購入希望者からの購入希望情報をネットワークを介してとりまとめる共同購入サーバシステムにおいて、
端末装置から入力された特定商品の購入希望を受け付ける受付手段と、
前記購入希望と購入希望個数を関連付けて記憶するオーダーデータテーブルと、
１ロットあたりの商品個数を段階的なまとまりとして、そのまとまり毎の１個あたりの販売価格を関連付けて記憶するとともに、１ロットにおける１個あたりの最安値となる限界販売価格を記憶した条件テーブルと、
前記基本条件テーブルを参照してまず共同購入開始価格を購入希望者の前記端末装置に表示し、前記端末装置から１個以上の購入希望情報を受け付けると前記価格テーブルを参照して当該購入希望情報を受信した時点での全購入希望個数に対応する１個あたりの販売価格を前記端末装置に表示し、
前記全購入希望個数が１ロットあたりの個数に達したときに購入希望情報の受け付けを終了し、その時点での購入希望者に対して前記限界販売価格での購入を決定する情報を前記端末装置に送信する個数・価格決定手段
とからなるネットワークを用いた商品の共同購入システム。
【請求項２】
前記条件テーブルは、さらに共同購入開始価格と前記限界価格と１ロットの商品の個数とを登録する基本条件テーブルと、
商品の１つのみの場合の仕入原価と１ロット単位での発注の場合の仕入原価とを登録する原価テーブルとを備えている請求項１記載のネットワークを用いた商品の共同購入システム。
【請求項３】
前記個数・価格決定手段は、前記共同購入開始前に、前記価格テーブルを設定する際に、前記原価テーブルを参照して、前記限界販売価格を前記１ロット単位での発注の場合の仕入原価よりも高い価格に設定するとともに、前記限界販売価格以外の販売価格を商品の１つのみの場合の仕入原価よりも高い価格に設定する処理を行う請求項２記載のネットワークを用いた商品の共同購入システム。
【請求項４】
ネットワーク上でロット単位で製造・輸送または仕入れが行われる商品について端末装置で入力された複数の購入希望者からの購入希望情報をネットワークを介してとりまとめる共同購入サーバシステムにおいて、
端末装置から入力された特定商品のエントリー価格（その価格以下の価格であれば購入したいという価格）を申告した購入希望情報を受け付ける受付手段と、
前記購入希望とエントリー価格と購入希望個数とを関連付けて記憶するオーダーデータテーブルと、
少なくとも当該商品の利益を含めた初期費用と、固定費と、最大販売数とを登録する条件テーブルと、
当該購入希望情報に対して、当該エントリー価格とその時点でのエントリー価格以上の価格でエントリーされた購入希望数を乗算した第１の値と、前記固定費用に対して、その時点でのエントリー価格以上の価格でエントリーされた購入希望数とを乗算した値に初期費用を加算した第２の値と、を比較して、前記第１の値が前記第２の値と等しいもしくはそれよりも大きい値であるときに前記購入希望情報に対して販売確定を判定し、当該エントリー価格を限界販売価格とする個数・価格決定手段と
からなるネットワークを用いた商品の共同購入システム。
【発明の詳細な説明】
【技術分野】
【０００１】
本発明は、インターネット等のネットワークを用いて、商品の共同購入を管理するサーバ技術に適用して有効である。 
【背景技術】
【０００２】
インターネット技術の急速な普及により、商品の購入申し込みや発注に利用されることが多くなった。 
ショッピングモールと呼ばれる商品販売サイトでは、端末装置の画面上から商品の購入処理を行うことができる。たとえば、ユーザーが購入を希望する商品を画面で確認して画面に表示された「購入希望」のボタン画像を指示することによって当該購入希望がサーバに送信されるようになっている。 
【０００３】
一方、オークションと呼ばれる個人間売買を仲介するシステムも知られてきている。このオークションサイトでは、提示された商品に対して購入希望者は購入希望価格を端末装置から入力し、複数の購入希望者中、最も高い購入希望価格を提示した者が当該商品を落札できるという仕組みである。 
【０００４】
さらに、最近では、米国特許第５，７９４，２０７号にみられるような「逆オークション」をネットワーク上で実現したシステムも見受けられる。これは米国のプライスライン社(http://www.priceline.com)が行ってい手法で、商品（航空券等）の購入希望者が購入希望価格を提示し、この購入希望価格の条件を満たした売り手が落札に応じる仕組みである。 
【０００５】
これらのオークションシステムに対して、本発明者は、共同購入特有の問題点に着目した先行特許出願を行っている（特許文献１）。
【特許文献１】米国特許第５，７９４，２０７号
【特許文献２】特開２００１−１５５０６７号公報
【発明の開示】
【発明が解決しようとする課題】
【０００６】
特許文献１は、単に既に市場に存在している商品を前提として、その売買に関するシステムの提案に過ぎない。
一方、従来より家具や金型等で生産される商品・製品では、材料の調達やコンテナ輸送のコスト等の観点から、ある程度まとまった個数（ロット）毎に発注することで購入単価を低く抑えられることが知られている。 
【０００７】
しかし、このような個数のとりまとめの作業は従来では問屋や商社で行われているものであり、かならずしもユーザーのニーズに合う商品・製品がロット単位で発注されているわけではなかった。 
【０００８】
一方近年、生活協同組合等において共同購入システムにより産地より野菜等の生鮮食料品を安価に仕入れることも行われてはいるが、これも組合員からのオーダーにしたがって購入処理を行っているにすぎない。 
【０００９】
すなわち、ユーザーに対してオープンで、かつロット単位での共同購入のメリットを享受できるシステムが要望されていたのである。また、これを共同購入を主催する側からみると、注文を受け付けてどの程度の個数で発注を行うべきかの判断が難しかった。すなわ
ち、経済学では需要と供給の状況によって価格が決定するという「需要供給曲線」が知られているが、これは完全に自由競争市場が実現されかつ完全にオープンで独立した静的な市場での話であり、実質的にこのような「需要供給曲線」での発注決定は困難であった。
【００１０】
価格は通常コストに利益幅を上乗せするというコスト主導の価格決定がなされてきた。近年、「マーケティング上、売りたい価格」に対してトータルコストを下げていく技術も開発されてきてはいるが、この「売りたい価格」を決定するのは困難であった。すなわち、価格競争は日々変化しており、需要者のニーズを反映した価格（大多数の顧客が購入を希望する価格）は日々刻々と変化しており、どこで均衡をとるかはテストマーケットでの実験を繰り返しても分析に時間がかかるため、最適な価格を算出することができなかった。
【００１１】
このような点から、本発明者は特許文献２に係る先行特許出願を行った。
この特許文献２では、材料の調達および輸送単位等に都合により特定の個数（ロット）で製造することで単価を低くすることのできる商品の共同購入における発注システムを提案するとともに、リアルタイムに市場の顧客ニーズを反映した共同購入価格を決定することを可能にした。
【００１２】
しかし、本発明者は、かかる共同購入システムを研究する中で、１ロットの限界販売価格に着目した。
すなわち、特許文献２では、ユーザからの注文が１ロット分の個数に達した段階で最も安い価格となるが、これを当該ロットにおける限界販売価格として予め設定しておけば、出品側に仕入価格以下の販売価格による差損を生じさせる危険がないことを見いだした。
【００１３】
本発明はこのような点に鑑みてなされたものであり、材料の調達および輸送単位等に都合により特定の個数（ロット）で製造することで単価を低くすることができ、出品側も製造・仕入価格との関係で差損生じない共同購入における発注システムを提案することにある。
【課題を解決するための手段】
【００１４】
前記課題を解決するために、本発明では、以下の手段を採用した。
本発明の請求項１は、ネットワーク上でロット単位で製造・輸送または仕入れが行われる商品について端末装置で入力された複数の購入希望者からの購入希望情報をネットワークを介してとりまとめる共同購入サーバシステムにおいて、端末装置から入力された特定商品の購入希望を受け付ける受付手段と、前記購入希望と購入希望個数を関連付けて記憶するオーダーデータテーブルと、１ロットあたりの商品個数を段階的なまとまりとして、そのまとまり毎の１個あたりの販売価格を関連付けて記憶するとともに、１ロットにおける１個あたりの最安値となる限界販売価格を記憶した条件テーブルと、前記基本条件テーブルを参照してまず共同購入開始価格を購入希望者の前記端末装置に表示し、前記端末装置から１個以上の購入希望情報を受け付けると前記価格テーブルを参照して当該購入希望情報を受信した時点での全購入希望個数に対応する１個あたりの販売価格を前記端末装置に表示し、前記全購入希望個数が１ロットあたりの個数に達したときに購入希望情報の受け付けを終了し、その時点での購入希望者に対して前記限界販売価格での購入を決定する情報を前記端末装置に送信する個数・価格決定手段とからなるネットワークを用いた商品の共同購入システムである。
【００１５】
このように、限界販売価格（レッドプライス）の概念を導入することによって、販売価格が仕入価格を下回ることを防止できる。このレッドプライスは、ユーザの端末装置には通知する必要はない。
【００１６】
本発明の請求項２は、前記条件テーブルは、さらに共同購入開始価格と前記限界価格と１ロットの商品の個数とを登録する基本条件テーブルと、商品の１つのみの場合の仕入原価と１ロット単位での発注の場合の仕入原価とを登録する原価テーブルとを備えている請求項１記載のネットワークを用いた商品の共同購入システムである。
【００１７】
そして、請求項３は、前記個数・価格決定手段は、前記共同購入開始前に、前記価格テーブルを設定する際に、前記原価テーブルを参照して、前記限界販売価格を前記１ロット単位での発注の場合の仕入原価よりも高い価格に設定するとともに、前記限界販売価格以外の販売価格を商品の１つのみの場合の仕入原価よりも高い価格に設定する処理を行う請求項２記載のネットワークを用いた商品の共同購入システムである。
【００１８】
このように、価格テーブルを設定する際に、限界販売価格を１ロット単位での発注の場合の仕入原価よりも高い価格に設定しておくことで、１ロット分の製品が完売したときにも商品販売者の利益が確保できる。また、１ロットに達しない場合の価格は商品の１つのみの場合の仕入原価よりも高い価格に設定しておけばよい。
【００１９】
本発明の請求項４は、ネットワーク上でロット単位で製造・輸送または仕入れが行われる商品について端末装置で入力された複数の購入希望者からの購入希望情報をネットワークを介してとりまとめる共同購入サーバシステムにおいて、端末装置から入力された特定商品のエントリー価格（その価格以下の価格であれば購入したいという価格）を申告した購入希望情報を受け付ける受付手段と、前記購入希望とエントリー価格と購入希望個数とを関連付けて記憶するオーダーデータテーブルと、少なくとも当該商品の利益を含めた初期費用と、固定費と、最大販売数とを登録する条件テーブルと、当該購入希望情報に対して、当該エントリー価格とその時点でのエントリー価格以上の価格でエントリーされた購入希望数を乗算した第１の値と、前記固定費用に対して、その時点でのエントリー価格以上の価格でエントリーされた購入希望数とを乗算した値に初期費用を加算した第２の値と、を比較して、前記第１の値が前記第２の値と等しいもしくはそれよりも大きい値であるときに前記購入希望情報に対して販売確定を判定し、当該エントリー価格を限界販売価格とする個数・価格決定手段とからなるネットワークを用いた商品の共同購入システムである。
【００２０】
この発明は、請求項１〜３が商品の購入総数のまとまり毎に段階的に価格を下げていく方式であるのに対して、商品の価格を順次下げていき、ユーザーはエントリー価格を設定して購入希望を行う方式のものである。
【００２１】
この場合にも、ある購入希望があった場合に、当該エントリー価格とその時点でのエントリー価格以上の価格でエントリーされた購入希望数を乗算した第１の値と、前記固定費用に対して、その時点でのエントリー価格以上の価格でエントリーされた購入希望数とを乗算した値に初期費用を加算した第２の値と、を比較して、前記第１の値が前記第２の値と等しいもしくはそれよりも大きい値であるときに前記購入希望情報に対して販売確定を判定し、当該エントリー価格を限界販売価格としている。
【００２２】
これにより、動的に変化する商品価格に対して、エントリー価格を提示した購入希望に対して迅速に販売確定の有無を決定することができる。
【発明の効果】
【００２３】
本発明によれば、材料の調達および輸送単位等に都合により特定の個数（ロット）で製造することで単価を低くすることができ、出品側も製造・仕入価格との関係で差損生じない共同購入における発注システムを実現することができる。
【発明を実施するための最良の形態】
【００２４】
［実施例１］
【００２５】
図１は、本発明のネットワーク構成を示す図である。同図に示すように、共同購入サーバ１に対して、ネットワーク２を介して端末装置３，４が接続されている。 
共同購入サーバ１は、バス（ＢＵＳ）によって互いに接続された中央処理装置（ＣＰＵ）、メモリ（ＭＥＭ）、ハードディスク装置（ＨＤ）およびＣＤ−ＲＯＭドライブ装置（ＣＤＲＤＶ）を有している。また、表示装置としてディスプレイ装置（ＣＲＴ）、入力装置としてキーボード（ＫＢＤ）、補助入力装置としてマウス（ＭＯＵ）が前記バス（ＢＵＳ）接続されている。また、このバス（ＢＵＳ）は、通信インターフェース（Ｉ／Ｆ）を経由してネットワーク２に接続されている。 
【００２６】
以下に説明する本実施例のプログラムはＣＤ−ＲＯＭ等の媒体で共同購入サーバ１に提供され、ＣＤ−ＲＯＭドライブ装置（ＣＤＲＤＶ）よりハードディスク装置（ＨＤ）にインストールされる。そしてこのハードディスク装置（ＨＤ）にインストールされたプログラムは、必要に応じてメモり（ＭＥＭ）に呼び出されて順次中央処理装置（ＣＰＵ）によって実行される。 
【００２７】
図２は、前記プログラムによって実行される本実施例の機能をブロック図で示したものである。２１はオーダー受付部であり、ユーザーの端末装置３，４で入力されたオーダーを受け付ける機能を有している。 
【００２８】
図３は本実施例１に商品の販売価格決定の特性を示すグラフ図である。同図に示すように、価格は所定のまとまり毎に段階的に下がっていくようになっている（図２の価格テーブル２５ａ参照）。
【００２９】
図４はユーザーの端末装置３，４の表示装置に表示される画面例である。当該画面は共同購入サーバ１のハードディスク装置（ＨＤ）に格納されたＨＴＭＬファイル(Hyper-Text Mark-up Language File)がネットワーク２を通じて配信されることによってユーザーが閲覧可能となっている。 
【００３０】
当該画面構成は、商品説明領域４１と、購入詳細情報表示領域４２と、広告領域４３と、申込領域４４とに分かれている。商品説明領域４１は、商品名と商品の画像が表示されるようになっている。この例では、商品として「洋服タンス」が表示されている。 
【００３１】
購入詳細情報表示領域４２には、当該商品に関する購入に関する詳細情報が表示される。ここでは、購入者の募集開始時の価格と、その時点での購入希望数（現在購入希望者または個数）、第１ロット定員までの数（人数または個数）、その時点での価格（現在価格）が表示されるようになっている。 
【００３２】
この購入詳細情報表示領域４２に表示される情報は購入希望者の増加によりリアルタイムまたは日毎に表示が更新されるようになっている。本実施例における商品の購入希望者に対する単価の設定は共同購入サーバ１におけるプログラムによって算出されるが、この価格決定方法については後述する。 
【００３３】
申込領域４４は、ユーザーが購入を決意した際に入力する領域であり、当該商品の希望個数と、希望上限価格と発注待機期日とを入力するようになっている。これらのデータを入力した後に購入申込ボタン４４ａをマウス等でクリックするとこれらの入力されたオーダーデータが端末装置３，４からネットワーク１を経由して共同購入サーバ１に送信されるようになっている。 
【００３４】
前記オーダーデータは、オーダー受付部２１によって以下のように処理される。すなわち、オーダー受付部２１は、前記端末装置３，４からのオーダーデータを通信インターフェース（Ｉ／Ｆ）よりバス（ＢＵＳ）を介してハードディスク装置（ＨＤ）内のオーダーデータテーブル２４に蓄積する。 
【００３５】
個数・価格決定部２２は、中央処理装置によって実行されるプログラムで実現されており、ハードディスク装置（ＨＤ）内の条件テーブルを参照しながら現在の実購入希望個数および単価を決定するようになっている。ここで、実個数とは、オーダーデータテーブル２４の希望上限価格と条件テーブルの単価とを対比させて、希望上限価格以下で抽出された発注可能個数を意味する。 
【００３６】
ここで、条件テーブル２５は、図２に示すように、価格テーブル２５ａ、基本条件テーブル２５ｂおよび原価テーブル２５ｃで構成されている。
端末装置３から共同購入開始価格（ここでは５０，０００円）、限界販売価格（レッドプライス：ここでは３０，０００円）および１ロットあたりの商品の個数（ここでは１００個）が入力されると、個数・価格決定部２２はこれらの値を基本条件テーブル２５ｂに登録する。なお、限界販売価格（レッドプライス）は、原価テーブル２５ｃの１ロット単位で発注した場合の原価以上の価格で設定する。
【００３７】
次に、端末装置３から商品１つのみの場合の仕入原価（ここでは３２，０００円）と、１ロット単位で発注した場合の原価（ここでは２８，０００円）が入力されると、個数・価格決定部２２はこれらの値を原価テーブル２５ｃに登録する。
【００３８】
次に、個数・価格決定部２２は、限界販売価格（レッドプライス）以外の商品のまとまり毎の価格を価格テーブル２５ａに設定する。ここでは、これらの価格は、原価テーブル２５ｃに設定した商品１つのみの場合の仕入原価よりも高い額に設定することを絶対条件とする。
【００３９】
ここでは、第１ステップとして１〜１０個の価格を４８，０００円、１１〜２５個の価格を４５，０００円、２６〜５０個の価格を４２，０００円、５１〜９９個の価格を３８，０００円に設定している。
【００４０】
なお、上記の第１ロットで設定された販売期間内に第１ロットの商品（１００個）が全て完売した場合には、直ちに第２ロット（１０１〜２００個）の共同購入処理に移行する。
【００４１】
ここでは、共同購入開始価格は、前記第１ロットの共同購入開始価格と同じ価格とする。このとき、第２ロットの完売を待たずに販売期間が終了したときには、第１ロット分で購入希望情報を送信したユーザーは、第１ロットの限界販売価格（レッドプライス）で価格が確定し、第２ロットで購入希望情報を送信したユーザーは、その時点での第２ロットの現在価格が販売価格となる。
【００４２】
なお、第２ロットの限界販売価格（レッドプライス）を、第１ロットの限界販売価格（レッドプライス）よりも低い価格に設定することも可能である。この場合には、第２ロット分（１０１〜２００個）が販売期間内に完売した場合には、第１ロットの購入確定ユーザに対しても、第２ロットの限界販売価格（レッドプライス）を適用してもよい。
［実施例２］
【００４３】
本実施例２は、システム構成は実施例１とほぼ同様であるが、オーダーデータテーブル
２４に各購入希望者のエントリー価格（図示せず）が設定されている点が特徴である。
ここで、エントリー価格とは、購入申込者にとって、その価格以下であれば購入したいという価格がエントリー価格である。
【００４４】
ここで、Ｔシャツを商品として、エントリー価格の例を説明する。
まず、現在価格  1,000,500円の時に  ５０００円で１枚のエントリー（購入希望）があった場合、１枚のエントリなので、現在価格は、１，０００，５００円のままとなる。そして次の購入希望者が２０００円で１枚エントリーしたとすると、累計２枚のエントリーがあったことになるので、現在価格は、１，０００，０００÷（２×０．５＋０．５）＋５００＝６６７，１６６円となる。
【００４５】
そして、次の購入希望者が５０００円で１枚エントリーしたとすると、累計３枚のエントリーがあったことになるので、現在価格は、１，０００，０００÷（３×０．５＋０．５）＋５００＝５００，５００円となる。
【００４６】
さらに次の購入希望者が８０００円で１枚エントリーしたとすると、累計４枚のエントリーがあったことになるので、現在価格は、１，０００，０００÷（４×０．５＋０．５）＋５００＝４００，５００円となる。
【００４７】
さらに次の購入希望者が３０００円で１枚エントリ−したとすると、累計５枚のエントリーがあったことになる。
ここで、エントリー毎の計算は、
３，０００円（当該エントリー金額）×４枚（３，０００円以上の価格でのエントリー数）＝１２，０００円となる。
【００４８】
ここで、５００円×４枚＋１，０００，０００円＝１，００２，０００円となり、この時点では販売は不成立となる。
条件テーブル２５には、図示を省略するが、当該商品の初期費用（利益を含んでいる）と、固定費と、最大販売数（１ロットあたりの個数）が設定されている。
【００４９】
ここで初期費用とは、デザイン費、版下作成コスト等の初期生産コストに利益を加えた額である。また、固定費とは、１商品あたりの材料費と１商品あたりの制作費を加算した額である。
【００５０】
この条件テーブル２５の各設定値に基づいて、共同購入開始価格と、限界販売価格とは以下の計算式で算出することができる。
共同購入開始価格＝初期費用＋（固定費×１）
限界販売価格（レッドプライス）＝（初期費用÷設定最大販売数）＋固定費
そして、順次変化する現在価格は個数・価格決定部２２が以下の計算式で算出する。
【００５１】
現在価格＝初期費用÷（申込総数×０．５＋０．５）＋固定費
ここで、上記０．５はパラメータであり、２つのパラメータの合計が１．０以下である限り、それぞれ任意に設定することが可能である。
【００５２】
次に本実施例２において、個数・価格決定部２２は、端末装置３または４からの購入希望情報に対して、当該エントリー価格とその時点でのエントリー価格以上の価格でエントリーされた購入希望数を乗算した第１の値と、前記固定費用に対して、その時点でのエントリー価格以上の価格でエントリーされた購入希望数とを乗算した値に初期費用を加算した第２の値とを比較して、前記第１の値が前記第２の値と等しいもしくはそれよりも大きい値であるときに前記購入希望情報に対して販売確定を判定し、当該エントリー価格を限
界販売価格とする。
【００５３】
これを具体的に説明する。
Ａ＝エントリー価格×エントリー価格以上の価格でエントリーされた申込数
Ｂ＝初期費用＋（エントリー価格以上の価格でエントリーされた申込数×固定費）
判定式  Ａ≧Ｂ
上記の判定式が成り立つ場合には、当該エントリー価格での購入希望情報に対して販売確定情報を生成して、前記端末装置３または４に送信する。
【００５４】
次に、本実施例２の具体例を説明する。
芸能人等にオリジナルのＴシャツのデザインを依頼し、これを共同購入として販売する場合を想定する。
【００５５】
初期費用＝１，０００，０００円
固定費＝５００円
設定最大販売数（１ロットの枚数）＝１，０００枚
限界販売価格（レッドプライス）＝１，５００円
以上の条件でエントリー価格が２，０００円で申込順が６６７枚目となる購入希望情報が端末装置３または４から入力された場合を想定する。
（例１）
現在価格が３，４９９円となっている状態のときに、前記購入希望情報が入力されたときに、それまでの６６６枚も２，０００円以上の価格でエントリーしているとき、
Ａ＝２，０００×６６７＝１，３３４，０００
Ｂ＝１，０００，０００＋（６６７×５００）＝１，３３３，５００
となり、Ａ≧Ｂが成立するので、個数・価格決定部２２はその時点で販売確定を決定し、その価格は２，０００円とする。
【００５６】
なお、購入希望が設定最大販売数（ここでは１，０００枚）に達したときは、限界販売価格（レッドプライス）を販売価格として当該ロットの共同購入処理を終了する。
つまり、このＴシャツの共同購入の場合、９９９枚目まで購入希望情報の入力、すなわちエントリーがあり、その時点での現在価格が２，５００円のときに、１，０００枚目の購入希望（エントリー）があった場合、どの金額でエントリーされていたとしても、そのエントリーは限界販売価格（レッドプライス：ここでは１，５００円）として販売が確定する。
【００５７】
このように、本実施例２では、初期費用に利益を含めているために、売れた枚数に利益が左右されない。したがって、たとえば当該Ｔシャツがレアグッズ等で１枚のみの制作で販売確定した場合、すなわち共同購入開始価格が１，０００，５００円のときに１，０００，５００円で購入希望のエントリーがあった場合、その時点で限界販売価格となり、販売が終了する。
【００５８】
このように本実施例２によれば、価格が需要によって決定されることになり、柔軟な共同購入が実現する。
なお、発注処理部２３は、第１ロットの定数（１００個）に達する毎に当該商品の発注処理を行う。この発注処理については詳細説明は省略するが、たとえば製造業者へのファクシミリによる発注書の送信であってもよいし、製造業者へのインターネットメールによる発注であってもよい。 
【産業上の利用可能性】
【００５９】
本発明は、１〜数百個を１ロットとして扱うネットワーク上の共同購入に適用すること
ができる。
【図面の簡単な説明】
【００６０】
【図１】本発明のネットワーク構成を示すブロック図
【図２】本発明の機能ブロック図
【図３】本発明の価格決定の特性を示すグラフ図
【図４】端末装置の画面表示例を示す図
【符号の説明】
【００６１】
１ 共同購入サーバ
２ ネットワーク
３，４ 端末装置
２１ オーダー受付部
２２ 個数・価格決定部
２３ 発注処理部
２４ オーダーデータテーブル
２５ 条件テーブル
２５ａ  価格テーブル
２５ｂ  基本条件テーブル
２５ｃ  原価テーブル
４１ 商品説明領域
４２ 購入詳細情報表示領域
４３ 広告領域
４４ 購入申込領域
【図１】
2007011789.tif 000003
【図２】
2007011789.tif 000004
【図３】
2007011789.tif 000005
【図４】
2007011789.tif 000006
【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
ネットワーク上でロット単位で製造・輸送または仕入れが行われる商品について端末装置で入力された複数の購入希望者からの購入希望情報をネットワークを介してとりまとめる共同購入システムにおいて、
前記端末装置から入力された購入希望、特定商品のエントリー価格（その価格以下の価格であれば購入したいという価格）及び購入希望数を申告した購入希望情報を受け付ける受付手段と、
前記購入希望とエントリー価格と購入希望数とを関連付けて記憶するオーダーデータテーブルと、
デザイン費、版下作成コストを含む初期生産コストに利益を加えた額である初期費用と、１商品あたりの材料費と１商品あたりの制作費を加算した額である固定費と、１ロットの商品の個数である最大販売数とを登録する条件テーブルと、
当該購入希望情報に対して、当該エントリー価格と、前記受付手段で前記購入希望情報を受け付ける毎に、受け付け時点でのエントリー価格以上の価格でエントリーされた購入希望数を乗算した第１の値と、前記固定費に対して、前記受け付け時点でのエントリー価格以上の価格でエントリーされた購入希望数とを乗算した値に前記初期費用を加算した第２の値と、を比較して、前記第１の値が前記第２の値と等しいもしくはそれよりも大きい値であるときに前記購入希望情報に対して販売確定を判定し、当該エントリー価格を販売確定価格として前記端末装置に送信する個数・価格決定手段と
からなるネットワークを用いた商品の共同購入システム。
【請求項２】
個数・価格決定手段は、下記の式
現在価格＝初期費用÷（購入希望数の累計×α＋β）＋固定費
但し、１≧（α＋β）
で現在価格を算出し、当該現在価格を前記端末装置に送信する請求項１記載のネットワークを用いた商品の共同購入システム。
【請求項３】
前記条件テーブルは、さらに前記初期費用と前記固定費を加算した共同購入開始価格と、１ロットにおける１個あたりの最安値となる限界販売価格と、を登録する請求項１又は２記載のネットワークを用いた商品の共同購入システム。
【請求項４】
前記限界販売価格は、前記初期費用を前記最大販売数で除算した値に前記固定費を加算した価格である請求項３記載のネットワークを用いた商品の共同購入システム。